(57)【要約】【課題】帯状シートを利用して、薬局の調剤作業において誤処方が生じうる作業を極力減らし、かつ作業の容易化を計った調剤装置を提供すること。【解決手段】調剤装置１は、ストック部３と裁断部１０と受け皿１１と制御部２を有している。ストック部３は、一列に配置された封止室１１０に薬剤を収容した帯状シート１００を巻き取る複数のカートリッジ２００を着脱自在に装着する。裁断部１０は、カートリッジ２００から繰り出された帯状シート１００を送り切断する。裁断部１０は個数表示部１２を有している。制御部２は、処方箋に基づき調剤装置１に入力された薬剤に対応する目標個数と、帯状シートが送られると封止室１１０の個数を個数表示部１２に表示する。【選択図】図１
2016214823.tif 000002
【特許請求の範囲】
【請求項１】
薬剤を収容する封止室を一列に配置した帯状シートを収容するカートリッジを着脱自在に装着するストック部と、
前記ストック部に装着されたカートリッジに対応して設けられた裁断部であって、カートリッジから繰り出された帯状シートを送るローラと、ローラにより送られた帯状シートを切断する切断刃と、切断された帯状シートを排出する排出口と、個数表示部とを有する裁断部と、
前記裁断部から切断され、排出された帯状シートを受ける受け皿と、
調剤すべき薬剤の種類と目標個数が入力され、前記ローラを通過した帯状シートの量を取得し、前記切断部に切断指示を行う制御部とを有し、
前記制御部は、調剤すべき薬剤に対応する裁断部の個数表示部に対して、当該薬剤の目標個数を表示するとともに、前記ローラにより送られた帯状シートの量を封止室の個数に変換して表示することを特徴とする調剤装置。
【請求項２】
前記ストック部は、前記カートリッジの収納位置に対応して位置表示部を有し、前記制御部は入力された薬剤に対応するカートリッジに対応する位置表示部を点灯することを特徴とする請求項１に記載の調剤装置。
【請求項３】
前記帯状シートには、収容される薬剤の種類を表示するバーコードが印刷されており、前記裁断部を送られる帯状シートに付されたバーコードを読み取り装置で読み取り、前記制御部は設定された帯状シートの薬剤の種類を取得することを特徴とする請求項１の調剤装置。
【請求項４】
前記制御部は、処方箋により指定された１回の服用分ごとに、前記調剤すべき薬剤に対応する裁断部の個数表示部に対して、目標個数を表示することを特徴とする請求項１に記載の調剤装置。
【請求項５】
前記ストック部は、新しいカートリッジが保持される待機部と、前記切断部へ帯状シートが送り出される現用部と、使用済みのカートリッジを保持する棚部とを有し、前記待機部、現用部、棚部はこの順で上下に配置され、重力作用により、カートリッジは上から順に移動することを特徴とする請求項１に記載の調剤装置。
【請求項６】
前記制御部は、劇薬に指定された薬剤の種類を保持し、前記読み取り装置で読み取られた薬剤の種類が劇薬に指定されたものであるときには、前記個数表示部に劇薬である旨の表示を行うことを特徴とする請求項３に記載の調剤装置。
【発明の詳細な説明】
【技術分野】
【０００１】
本発明は、電子カルテに基づき、薬剤を調剤する調剤装置に関する。
【背景技術】
【０００２】
薬局では、薬剤師が電子カルテに従って薬剤を調剤する。近年、いわゆるＰＴＰ（pass through package）錠剤シートの状態で、錠剤のみならず、散薬、液体の薬剤もカプセルに充填したカプセル剤（以下、纏めて「錠剤」と称する）として包装されており、調剤はこのＰＴＰ錠剤シートを利用していることが殆どである。ＰＴＰ錠剤シートとは、板状のプラスチックをバキュームフォームなどで成型した窪みの中に錠剤を入れて、台紙を接着して包装した包装形式であり、いくつかの錠剤が縦横に整列した状態で１枚のシート状になっているものである。
【０００３】
特許文献１によれば、ロール状に巻き取り可能な帯状シートを開示している。帯状シートには凹部が等間隔に連続して設けられており、１回に患者に投与する薬剤の個数、種類、大きさによって、凹部の形状およびサイズが形成される。特許文献１によれば、お年寄りや体の不自由な患者であっても、１回の服用に必要な複数個の薬剤を一度に取り出すことができ、かつ医療機関或いは製造工場においても、ロール状に巻き取られたリールの形態で運搬／保管すればよいため、薬剤管理が容易であると言う効果がある。
【０００４】
特許文献２には、複数のポットが設けられ、輪状に巻き取られたブリスタ帯が開示されている。各ポケットには粉体携帯の吸引可能な１服用分の薬物が封入されており、薬物分配器にセットして作動させると、１回の服用分のブリスタ帯が送り出され、ポケットが開封される。
【先行技術文献】
【特許文献】
【０００５】
【特許文献１】特開２０１３−１８３９５２号公報
【特許文献２】特開２００５−５２３７４８号公報
【発明の概要】
【発明が解決しようとする課題】
【０００６】
各特許文献における帯状シートは、患者への薬剤を投与する際の利便性の観点を追求している。一方で、薬局においては、処方箋に基づき薬剤を調剤するが、薬の過剰投与や別の薬との取り違え事故が発生すると、場合によっては患者死亡という事故を引き起こす。
【０００７】
現在、薬局において扱われる薬剤は、ＰＴＰ錠剤シートの形態となっている場合が殆どである。ＰＴＰ錠剤シート等の帯状シートには、錠剤が行列状に配置され、かつ大きさなど様々なものがある。処方箋により指定された錠剤の数が、帯状シートに収容された錠剤の数に満たない端数が生じた場合には、その端数分の錠剤を帯状錠剤シートから切り出して調剤することが行われており、誤処方の一因となっている。出願人は、調剤作業におけるうっかりや誤認が生じる要因を出来るだけ排除し、調剤作業を容易にするために、この帯状シートが適用できないかを検討した。
本発明の目的は、帯状シートを利用して、薬局の調剤作業において誤処方が生じうる作業を極力減らし、かつ作業の容易化を計った調剤装置を提供することである。
【課題を解決するための手段】
【０００８】
本発明によれば、薬剤を収容する封止室を一列に配置した帯状シートを収容する複数のカートリッジを着脱自在に装着するストック部と、前記ストック部に装着された複数のカートリッジに対応して設けられた裁断部であって、カートリッジから繰り出された帯状シートを送るローラと、ローラにより送られた帯状シートを切断する切断刃と、切断された帯状シートを排出する排出口と、個数表示部とを有する複数の裁断部と、前記複数の裁断部から切断され、排出された帯状シートを受ける受け皿と、調剤すべき薬剤の種類と目標個数が入力され、前記ローラにより送られた量を取得し、前記切断部に切断指示を行う制御部とを有し、前記制御部は、前記裁断部の個数表示部に対して、当該薬剤の目標個数を表示するとともに、前記ローラにより送られた帯状シートの量を封止室の個数に変換して表示することを特徴とする。
【発明の効果】
【０００９】
本発明によれば、各カートリッジに対応して、個数表示部が設けられており、帯状シールの送りによって投与個数の確認及び、目標個数との比較ができる。目標個数は、処方箋又は電子カルテに基づき表示されるため、操作者が指示した薬剤を指示した個数を確認しながら、投与することが可能である。また、封止室が１列の帯状シートを使用しているため、ＰＴＰ錠剤シートのような端数の錠剤の計算を考慮する必要がないため、誤処方を低減させる。
【００１０】
帯状シートは、封止室の間隔が、薬剤の種類大きさによらず統一されており、調剤装置は帯状シールの送り量について、薬剤に従った管理、構造を持つ必要がなく、どの薬剤についても共通に裁断部を通過する帯状シートの長さを管理するだけで良い。
【図面の簡単な説明】
【００１１】
【図１】帯状シートと、これを巻き取るカートリッジを示す図である。
【図２】調剤装置の斜視図である。
【図３】調剤装置の一部断面図である。
【図４】制御部の処理フローを示す図である。
【図５】個数表示部を示す図である。
【図６】他の実施例による調剤装置の側面図である。
【図７】他の実施例による調剤装置の一部拡大図である。
【図８】他の実施例による調剤装置の制御部の処理フローを示す図である。
【図９】ストック部の構成を示す図である。
【発明を実施するための形態】
【００１２】
図１は、本実施例において使用される帯状シート１００、１０１、１０２とカートリッジ２００、２０１、２０２、２０３を示している。
【００１３】
図１Ｂは帯状シート１００としてＰＴＰ錠剤シートを示した例であり、帯状シート１００は、気体又は光に対してバリア性を有した透明性の封止材１４０に対して、金属箔を含むバリア性を有した封止材１５０を接着して形成されている。封止材１４０の長さ方向には、一列にかつ等間隔に複数の封止室１１０が形成されており、封止室１１０の開口を封止材１５０により覆い、薬剤Ｔ１を個別に外気から隔離している。図１Ａに示す帯状シート１０２も帯状シート１００と同様にＰＴＰ錠剤シートであり、封止室１１２を有しており、カプセルタイプの薬剤を収容する。
図１Ｃは帯状シート１０１として、透明の封止材１４１、１５１により薬剤Ｔ２を挟んで錠剤個別に収容する封止室１１１を、一列にかつ等間隔に形成している。
封止室１１０、１１１、１１２の大きさ、形状は、内部に封止される薬剤Ｔ１、Ｔ２によって異なり、また、帯状シート１００、１０１、１０２の幅ｗ１、ｗ２、ｗ３は異なる寸法であっても良い。しかし、複数の封止室１１０、１１１、１１２の間隔ｐの寸法は、封止室１１０、１１１、１１２の大きさ、形状によらず帯状シート１００、１０１、１０２において互いに共通である。
【００１４】
封止室１１０、１１１、１１２が設けられる間の帯状シート１００、１０１、１０２には、それぞれ、切断線１２１、１２２、１２３が設けられている。封止室１１０、１１１、１１２の位置に対する切断線１２０、１２１、１２２の位置も、各帯状シート１００、１０１、１０２において共通である。
【００１５】
帯状シート１００、１０１、１０２の封止材１５０には、封止室に収容される薬剤を表すバーコード１３０、１３１、１３２（以下、代表して１３０）が、封止室１１０、１１１、１１２（以下、代表して１１０）に対応して、又は関連せずに連続的に印刷により付されている。バーコード１３０は、マトリックス型二次元コードなどの光学的に読み取り可能なデジタルコードを含む。薬剤メーカは、現状流通している帯状シートの一つの形態として、一列にかつ等間隔という条件に従った形態の帯状シート１００、１０１、１０２を製造する必要がある。
【００１６】
帯状シート１００、１０１、１０２を巻き取るカートリッジ２００、２０１、２０２は、リールタイプのカートリッジであり、カートリッジ２０３はマガジンタイプのカートリッジである。これらのカートリッジは、本実施例の調剤装置の１つの部品でもある。リールタイプのカートリッジ２００、２０１、２０２については、帯状シート１００、１０１、１０２の長さに応じて、左右の側板２１０、２１１、２１２、２２０、２２１、２２２の直径は多種のものがあって良い。しかし、後述する調剤装置１の軸受け部を共用できるようにカートリッジ芯２３０、２３１、２３２（以下、代表して２３０）の直径は同一のものとしておくのが良い。カートリッジ２００、２０１、２０２の左右の側板２１０、２１１、２１２、２２０、２２１、２２２(以下、代表して２１０、２２０)の一方の側板はカートリッジ芯２３０、２３１、２３２から外すことができる。
図１Ｄは、側板２１０をカートリッジ芯２３０から取り外した状態を示している。帯状シート１００、１０１、１０２（以下、代表して帯状シート１００）をカートリッジ芯２３０にセットした後、取り外した側板２１０を取り付けることにより帯状シート１００が装填される。また、取り外した側板２１０をカートリッジ芯の長さ方向の任意の位置で止めることにより、多様な幅を有する帯状シート１００に対して対応することが可能である。マガジンタイプのカートリッジ２０３は、帯状シートを一点破線で示したように、折りたたんで収容して、繰り出し口２０４から取り出す。カートリッジ２０３の両側面には、カートリッジ芯２３０、２３１、２３２を模した円柱２３３が設けられている。円柱２３３を後述する調剤装置１の軸受け部に装着することにより、リールタイプのカートリッジ２００、２０１、２０２との取り替え互換性を保つものである。
【００１７】
図２は、調剤装置１を示している。
図２Ａにおいて、調剤装置１は、電子カルテ又は、手入力により入力された処方箋の薬剤投与に関する情報を記憶する制御部２と、多数のカートリッジを着脱自在に保持するストック部３と、カートリッジ２００から繰り出された帯状シート１００を裁断する裁断部１０とを有している。調剤装置１は、ネットワークＮを介して、薬局の端末Ｐや病院Ｈと情報のやりとりが可能である。
【００１８】
ストック部３は、カートリッジ２００を着脱自在に保持できるカートリッジ芯止め機構４を有しており、これを多数２段に配置することにより、様々な種類の薬剤をストックできるようになっている。カートリッジ芯止め機構４は、櫛刃状に本体から水平に突出した多数の腕部５と、各腕部５の先端には腕部５の間に位置するカートリッジ２００のカートリッジ芯２３０若しくは円柱２３３を左右から受ける一対の軸受け部が多数設けられている。さらに各腕部の先端にはカートリッジ芯の長さ方向に軸受け部６をスライドするスライドレール８が設けられており、軸受け部６に搭載されるカートリッジ２００の幅に従って軸受け部６の間隔を合わせられるようになっている。カートリッジ２００の直上の位置には、発光ＬＥＤによる複数の位置表示部９が、各カートリッジ２００に対応して取り付けられている。
【００１９】
ストック部３に装着されたカートリッジ２００からは、帯状シート１００が繰り出され、裁断部１０に導かれている。裁断部１０は、カートリッジ２００に対応して設けられており、対応するカートリッジ２００の帯状シート１００を裁断して受け皿１１に投入する。裁断部１０の表面には、個数表示部１２が設けられている。図２Ｂは、個数表示部１２を示している。個数表示部１２は、カウント表示窓１３と、操作表示窓１４を有している。カウント表示窓１３は、図中、左側１５に裁断部を通過した帯状シートの封止室１１０の個数、右側１６に電子カルテから入手した封止室１１０の個数を示している。上記したように、薬剤を封止する封止室１１０は、薬剤の種類に拘わらず等間隔であるので、帯状シート１００の送り量を検出すれば封止室１１０の個数に変換できる。制御部２は、帯状シート１００の送り長さを、間隔ｐにより正規して封止室１１０の個数に変換する。従って、カウント表示窓１３に表示される数値は薬剤の個数を直接的に示している。
【００２０】
操作表示窓１４は、個数表示部１２が対応するカートリッジ２００に対して、操作者にどの様な指示をしているのかを表示している。操作表示窓１４は操作者との入力インターフェースを兼ねている。個数表示部１２は、タッチ入力カラー液晶パネルが用いられる。
【００２１】
図３は、調剤装置１の一部断面図である。軸受け部６は、半円状の断面を持つ受け面を有しており、カートリッジ芯２３０（若しくはマガジンタイプのカートリッジ２０３の場合は、円柱２３３）を上方から搭載可能である。カートリッジ芯２３０を軸受け部６に搭載すると、帯状シート１００に繰り出しに応じて、カートリッジ芯２３０は軸受け部６の上で回転する。軸受け部６には、多数のフック１７がカートリッジ芯２３０を取り囲むように配置されており、レバー１８を起こすと多数のフック１７が互いに近接する。カートリッジ芯２３０は、フック１７内において回転の自由が許された状態で拘束される。一方、円柱２３３は、カートリッジ芯２３０よりも若干直径が大きく、フック１７により回転の自由が許されない状態で拘束される。
【００２２】
裁断部１０は、帯状シート１００に対応して設けられており、上下に多数配置されたローラ２１の間を帯状シート１００が通過するようになっている。裁断部１０は、バーコード読み取り装置１９と、切断刃２０をさらに有している。バーコード読み取り装置１９は、帯状シート１００の金属箔に印刷されているバーコード１３０を読み取り、薬剤の種類を制御部２に報告する。ローラ２１は、送られる帯状シート１００がローラ２１を通過した長さを計測して、制御部２に報告する。制御部２は、ネットワークＮ或いは、端末Ｐから電子カルテを入手、あるいは処方箋から端末Ｐを介して情報が入力される。制御部２は、裁断部１０を通過した帯状シート１００が、目標長さに達したときに当該裁断部１０のローラ２１に対してブレーキを掛ける。また、裁断部１０は切断刃２０を有しており、帯状シート１００を切断する。尚、裁断部１０に対して、帯状シート１００を送る動力部(図示せず)を設けても良い。この場合、制御部２は駆動コントローラ２２に対して、帯状シート１００の送り停止を指示する。切断された帯状シート１００は、排出口２３を介して下流に配置された受け皿１１に落下する。
【００２３】
調剤装置１に対する初期設定として、多種の帯状シート１００を収容したカートリッジ２００を調剤装置１に設定する。カートリッジ２００は、ストック部３の軸受け部６に装填して、レバー１８により拘束する。帯状シート１００を繰り出して、対応する裁断部１０のバーコード読み取り装置１９の下面、ローラ２１の間、切断刃２０の間を通す。この際に、バーコード読み取り装置１９は帯状シート１００の設定が行われていることを察知して、対応する位置表示部９を点灯する。カートリッジ２００を設定した位置と位置表示部９の表示位置が違っていれば、操作者はストック部３における正しい位置にカートリッジ２００を設定し直す。このとき、バーコードに示された薬剤の種類がバーコード読み取り装置１９により読み取られ制御部２に格納される。このように、裁断部１０において、薬剤の種別をバーコードにより確認するため、以降の薬剤の取り違いを回避できる。また、帯状シート１００の封止室１１０は、薬剤の種類等によらず、共通の間隔ｐとなっているので、どの裁断部１０、ストック部３に装填しても良く、いずれの箇所に装填したとしても、薬剤の種類は制御部２において把握することができる。
【００２４】
図４の制御部２の処理フローに基づき、図５に個数表示部の処理の進行に対する表示状態を参照しながら説明する。
調剤装置１に対して、薬剤投与に関する情報（一回の服用の薬剤の種類、一回の服用の個数、服用頻度、服用日数等）を電子カルテから入力する（ステップＳ１）。電子カルテは、病院ＨからのネットワークＮを介して入力しても良いし、調剤装置１が設置された薬局の端末Ｐから入力しても良い。又は、端末Ｐから、処方箋に記載された薬剤投与に関する情報を直接的に手入力しても良い。
【００２５】
薬局の端末Ｐに対して、調剤を行う操作者の識別情報が入力され、調剤装置１に対する起動が指令される。調剤装置１は、初期状態においては、裁断部１０のカウント表示窓１３の背景の色は白濁した状態で、個数の表示は００／００である。また操作表示窓１４の背景の色は同様に白濁した状態であり、「未選択」となっている（図５Ａ）。また、裁断部１０の各ローラ２１は、ブレーキ状態である。調剤装置１は、薬剤投与に関する情報に基づき、指定された薬剤のカートリッジ２００の位置が操作者に分かるように位置表示部９を点灯する（ステップＳ２）。このため、操作者は、選択された薬剤のカートリッジ２００の位置を確認することができる。裁断部１０のカウント表示窓１３の背景の色を変更し、薬剤投与に関する情報により指定された薬剤別の目標個数（図５Ｂのカウント表示窓の右側１６、例えば、１錠ずつ１日４回５日分として、目標個数を２０とした）を表示する。また、操作表示窓１４には、操作者に薬剤の投入開始を促すように「投入開始」を表示する。
【００２６】
操作者が操作表示窓１４をタッチ操作して選択すると搬送開始が指示される（ステップＳ４）、制御部２はこれに応答して操作表示窓１４の表示を「投入中」に変更し、その背景色も変更する（図５Ｃ）。タッチされた操作表示窓１４に対応するローラ２１のブレーキを解除して、帯状シート１００の送り出しが可能な状態にする。
【００２７】
裁断部１０に動力部が設けられている場合は動力部を用いて、或いは手動の場合は操作者の手操作により帯状シート１００が裁断部１０から引き出される。制御部２は、搬送開始から現時点までにおいて引き出される長さに応じて帯状シート１００の送り量を取得し、個数表示部１２のカウント表示窓１３の送り長さ(薬剤の個数)を増加する（ステップＳ５）。操作者は投入された薬剤の個数と、目標値を目視にて確認しながら作業ができる。制御部２は、帯状シート１００が裁断部１０を通過する際に、２つのモードで切断刃２０を動作させる。第１のモードは、帯状シートの個別の封止室１１０が通過する毎に切断刃２０を動作させるモードである。第２のモードは、電子カルテにより指定された１日の投与量、或いは１回の投与量毎に切断刃２０を動作させるモードである。例えば、１回の投与に錠剤を２錠服用することが電子カルテにより指定されている場合には、帯状シートの封止室が２つ通過するごとに切断刃２０を動作させる。いずれのモードで切断刃２０を動作させるかは、薬局の端末Ｐにより指定する。
【００２８】
目標長さに達すると（ステップＳ６）、予定の錠剤の個数だけ裁断部１０を通過したと判断して、ローラ２１に対してブレーキを指示する（ステップＳ７）。動力部を用いている場合には、動力による送り動作を停止し、ローラ２１にブレーキをかける。このとき、操作表示窓の表示を「投入完了」に変更し、背景色も変更する(図５Ｄ)。
【００２９】
操作者が、操作表示窓１４にタッチしたときには、操作者による確認が終了したと判断する(ステップＳ８)。カウント表示窓１３の背景を白濁させ、表示を「００／００」とする。また、操作表示窓１４の表示を「未選択」に変更し、背景を白濁させる(図５Ｅ)。
【００３０】
ステップＳ２からステップＳ８までの処理は、電子カルテにより指定された薬剤の種類に応じてで、それぞれ行われる。このとき、動力部を具備している場合には、多数の帯状シート１００を同時並行に動作させることができる。
【００３１】
電子カルテにより指定された全薬剤について処理を終了すると、投入履歴を更新する（ステップＳ９）。更新履歴には、調剤を担当した操作者の識別情報、日時、薬剤の種類及び量の情報が含まれる。電子カルテ又は、手動入力により指示された薬剤投入指示と、更新された投入履歴とを照合し、未完了の薬剤があるときには、警告を出力する（ステップＳ１０）。警告は、例えば、位置表示部９の点滅などでもよい。
【００３２】
上記実施例においては、帯状シート１００は、封止室１１０の間隔が、薬剤の種類大きさによらず統一されており、調剤装置１は帯状シート１００の送り量について、薬剤に従った管理、構造を持つ必要がなく、どの薬剤についても裁断部１０を通過する帯状シート１００の長さを同じように管理するだけで良い。一方、帯状シート１００は、封止室１１０の間隔を薬剤によらず統一しない場合には、封止室１１０の間隔に関するデータを制御部２が取得しておく必要がある。例えば、予め全ての薬剤について全てのメーカにおける封止室の間隔を制御部２に記憶しておき、ネットワークＮを介して必要な更新を受けるようにしておけばよい。または、帯状シート１００に印刷されるバーコード１３０に対して付加情報として印刷しておき、これをバーコード読み取り装置１９により読み取って、制御部２に報告しても良い。
【００３３】
上記実施例では、帯状シート１００の封止室１１０の個数をローラ２１の通過長さを元に取得したが、他の方法により取得しても良い。封止室１１０の形状は、透明でありかつ形状・大きさが薬剤によって異なることを前提とすると、封止材１４０に封止室１１０とは別に、薬剤に共通のエンボスを封止室１１０対応に刻印し、これを検出するセンサを裁断部１０に設けておけば、当該センサがエンボスを検出することにより、帯状シート１００の送り量を検出することができる。また、封止材１５０に封止室１１０の区切りのマーカを印刷して、これを裁断部１０で検出して帯状シート１００の送り量を求めてもよい。この場合は、封止室１１０と封止材１５０の位置関係を整合させた上で、封止材１４０と封止材１５０とを貼着しておく必要がある。この場合においては、エンボス或いはマーカは、封止室１１０に対して１対１であるので、上記実施例における間隔ｐは「１」である。
【００３４】
上記実施例においては、電子カルテにより指示された錠剤の全てを１つの受け皿１１により受けていたが、１回服用分ずつを自動的に分包(ＯＤＰ:Ｏｎｅ Ｄｏｓｅ Ｐａｃｋａｇｅ）する装置（以下、ＯＤＰ装置）に適用しても良い。ＯＤＰ装置においては、処方箋により指定された朝、昼、晩の３回服用にそれぞれに必要個数の錠剤がコントローラの制御によってピックアップされ、必要な錠剤等とともにそれぞれの１回服用分ずつ１つに纏められ分包される。ＯＤＰ装置に調剤装置１を適用する場合、処方箋により指定された朝、昼、晩の３回服用にそれぞれに対して１回服用分ずつに必要な個数の錠剤を受け皿１１に落下させる。具体的には、５日分の一日朝、昼、晩の３回であれば、まず、１日目の朝の錠剤が集められる。図４のフローに従い、まず、該当する錠剤に対する位置表示部９を点灯し、裁断部１０に対し「投与開始」を表示する。目標個数の錠剤が取得されるまで繰り返し、最後の錠剤が確認されたら、裁断部１０を未選択状態にする。受け皿１１に落下した錠剤を１つに纏めて別の容器内に封入する。この処理を、昼、夜の分だけ行い、これを、繰り返すように５日分について（合計、１５セット）動作させればよい。
【００３５】
図６は、他の実施例による調剤装置１’を示している。調剤装置１’は、カートリッジ２００を保持するストック部３は、帯状シート１００が充填された新しいカートリッジを待機させる待機部３１と、裁断部１０へ帯状シートが送り出される現用部３２と、使用済みのカートリッジを保持する棚部３３とを有している。現用部３２におけるカートリッジ芯止め機構４１は、図１に示したカートリッジ芯止め機構４と同様な機構を有しており、本体から水平に突出した一対の腕部５１と、各腕部５１の先端には腕部５１の間に位置するカートリッジ２００のカートリッジ芯２３０（若しくはマガジンタイプのカートリッジ２０３の場合は、円柱２３３）を左右から受ける一対の軸受け部６１が設けられている。さらに一対の腕部５１の根元には、カートリッジ芯の長さ方向に一対の腕部５１の間隔を変更する幅変更機構５３が設けられており、軸受け部６１に搭載されるカートリッジ２００の幅に従って軸受け部６の間隔を合わせられるようになっている。カートリッジ２００は一対の軸受け部６１に保持されて、カートリッジ２００に収容された帯状シート１００が引き出される。尚、図６、７、８の説明では、カートリッジ２００、２０１、２０２，２０３を代表して、カートリッジ２００を用いた例により説明する。
【００３６】
調剤装置１’には、図１に示した調剤装置１と同様に、裁断部１０が設けられており、引き出された帯状シートは、制御部２の制御のもと、裁断部１０により必要な切断が行われ、受け皿１１に落下する。
【００３７】
現用部３２の上側の位置には、待機部３１が設けられている。待機部３１は、現用部３２と同様な構造を持つ一対の腕部５２を有している。一対の腕部５２の先端には、一対の軸受け部６２が設けられており、腕部５２の間にカートリッジ２００のカートリッジ芯２３０若しくは円柱２３３を左右から受けることが可能となっている。
さらに一対の腕部５２の根元には、カートリッジ芯の長さ方向に一対の腕部５２の間隔を変更する幅変更機構５４が設けられており、軸受け部６２に搭載されるカートリッジ２００の幅に従って軸受け部６の間隔を合わせられるようになっている。
【００３８】
一対の腕部５１の軸受け部６１と一対の腕部５２の軸受け部６２は、カートリッジ芯２３０若しくは円柱２３３を受け取る機能の他に、落下させる機能を有している。具体的には、軸受け部６１、６２は保持片６１ａ、６１ｂ、６２ａ、６２ｂにより、カートリッジ芯２３０若しくは円柱２３３を左右から支えており、これらが下側に開くことにより、カートリッジ２００が落下する。
【００３９】
待機部３１と現用部３２の間には、案内レール７が設けられている。軸受け部６２から落下したカートリッジ２００は、案内レール７を経由して、軸受け部６１により受け止められる。図７は、案内レール７を示している。案内レール７は、軸受け部６２から軸受け部６１に到る溝７ａを持ち、溝７ａの中をカートリッジ芯２３０若しくは円柱２３３が重力により落下する際の案内になる。
【００４０】
図６に戻り、現用部３２の下側には、棚部３３が設けられている。棚部３３は、スロープ２４と排出棚２５を有している。軸受け部６１から落下したカートリッジ２００は、スロープ２４を経て、調剤装置１’の前側に位置する排出棚２５に移動する。排出棚２５には、開閉扉２６が設けられており、カートリッジ２００を取り出すことができる。
【００４１】
また、カートリッジ２００の直上の位置には、発光ＬＥＤによる複数の位置表示部９が、各カートリッジ２００に対応して取り付けられている点も、図１に示した調剤装置１と同様である。また、軸受け部６１に保持された状態のカートリッジ２００から、帯状シート１００を引き出すための駆動ローラ２７と、帯状シート１００の存在／不存在を検出するセンサ２８が設けられている。
【００４２】
図８は、図４に示した制御部２の処理フローに対して、新しいカートリッジの待機と空カートリッジの廃棄の機能を付加したフローを示している。尚、待機部３１の軸受け部６２には、新しいカートリッジが保持されているものとする。
センサ２８が帯状シート１００の不存在を検出すると（ステップＳ１１）、新しいカートリッジを補充するための処理を開始する。ステップＳ１２において、現用部３２の軸受け部６１を稼働して、空になったカートリッジ２００を、棚部３３の排出棚２５に落下させる。その後、軸受け部６１を復帰させて、待機部３１の軸受け部６２に保持されている新しいカートリッジ２００を落下させる（ステップＳ１３）。落下した新しいカートリッジ２００は、軸受け部６１により受け取られる。その際、新しいカートリッジ２００から覗いている帯状シート１００の端部の存在をセンサ２８が検出し、駆動ローラ２７を稼働させて、帯状シート１００の端部を裁断部１０へ送り込む（ステップＳ１４）。このように、カートリッジは、重力作用により、上の待機部３１から現用部３２、そして棚部３３へこの順に移動する。
調剤装置１’は、新たな帯状シート１００が裁断部１０に設定されたときには、調剤装置１と同様に、帯状シート１０のバーコードに示された薬剤の種類がバーコード読み取り装置１９（裁断部１０に設けられる。図３参照）により読み取られ制御部２に格納される。制御部２において、今までの帯状シート１００と同じ薬剤であるかを検査して、同じでなければ、個数表示部１２に警告を表示する。
【００４３】
図９は、多数のカートリッジ２００を横方向に保持できるように調剤装置１’のストック部３を構成して、多数の種類の薬剤に対応できるようにした例を示している。複数のカートリッジを待機、保持、及び廃棄できるように、一対の腕部５１、５２、棚部３３等が多数設けられている。隣合うカートリッジにおいて、混同が生じないように、配置を上限にずらしており、これに対応して位置表示部９の位置も隣同士で上下にずれている。
尚、行列状のＰＴＰシートが主流の現状では、帯状シートによる薬剤の提供は種類が限定されるため、例えば、当初は、一種類の帯状シートだけに対応する構成の装置から薬局への導入が措定される。この場合、一種類の帯状シートだけではあるが、電子カルテ等に従って、本調剤装置１’による調剤が行われる。
【００４４】
上記実施例において、予め制御部２に対して、薬事法に規定された劇薬の種別を登録しておいて、バーコード読み取り装置１９により読み取られた薬剤の種類が劇薬指定されていたものであった場合には、個数表示部１２の背景を「赤」にして使用者の注意を促すようにしても良い。
【符号の説明】
【００４５】
１、１’    調剤装置
２    制御部
３    ストック部
７    案内レール
９    位置表示部
１０  裁断部
１１  受け皿
１２  個数表示部
１３  カウント表示窓
１４  操作表示窓
１９  バーコード読み取り装置
２０  切断刃
２１  ローラ
２３  排出口
２４  スロープ
２５  排出棚
２６  開閉扉
２７  駆動ローラ
２８  センサ
６１、６２  軸受け部
１００  帯状シート
１１０  封止室
１３０  バーコード
１４０  封止材
１５０  封止材
２００  カートリッジ
【図１】
2016214823.tif 000003
【図２】
2016214823.tif 000004
【図３】
2016214823.tif 000005
【図４】
2016214823.tif 000006
【図５】
2016214823.tif 000007
【図６】
2016214823.tif 000008
【図７】
2016214823.tif 000009
【図８】
2016214823.tif 000010
【図９】
2016214823.tif 000011